(57)【要約】【課題】簡単な構造で巻取りリールの傾斜を抑制し、巻取りリールの交換時の作業性を良くする巻取機を提供する。【解決手段】巻取機１０を、台車２０上に、帯状の被巻取物Ｗを送給するフィードユニット３０と、本体フレーム４０と、本体フレーム４０内を上下方向に移動する昇降ユニット５０と、昇降ユニット５０に配設され、帯状の被巻取物Ｗを巻き取る巻取リールＷＲと層間紙ロールＰＲとが配置され上下方向に沿って複数段配設される巻取ユニット８０と、を備える構成とする。傾斜機構１００により巻取ユニット８０を斜め下方に傾斜可能とする。【選択図】図１２
2013203541.tif 000002
【特許請求の範囲】
【請求項１】
上下方向に移動する昇降ユニットと、帯状の被巻取物を巻き取る巻取リールが配置可能に形成され前記昇降ユニットに上下方向に沿って複数段配設される巻取ユニットと、を備え、
各前記巻取ユニットが、前記巻取リールが前記被巻取物を巻取る巻取位置と、前記巻取リールを交換する交換位置との間を、移動機構により上下方向に直交する面に沿って移動可能とされる巻取機であって、
少なくとも最上段の前記巻取ユニットが、前記巻取ユニットが前記交換位置にある時、傾斜機構により斜め下方に傾斜可能とされることを特徴とする巻取機。
【請求項２】
前記移動機構が、前記昇降ユニット内に互いに平行となるように配設される一対の第一のスライドレールと、前記第一のスライドレールと摺動可能に形成され前記巻取ユニットの移動方向に沿った両側端部に互いに平行となるように配設された第二のスライドレールと、を有し、  
前記巻取位置は、前記巻取ユニットに配置される前記巻取リールが前記昇降ユニット内にある位置であり、
前記交換位置は、前記巻取ユニットに配置される前記巻取リールが前記昇降ユニット外にある位置であることを特徴とする請求項１記載の巻取機。
【請求項３】
前記巻取ユニットには、層間紙ロールを保持して層間紙を繰り出し可能とする層間紙ロール保持部材が配設されていることを特徴とする請求項１又は２記載の巻取機。
【請求項４】
前記巻取ユニットには、巻取リールの外周縁部のフランジ部間の幅を規制するとともに層間紙をガイドするガイドローラが、配設されていることを特徴とする請求項３記載の巻取機。
【請求項５】
前記巻取ユニットの前記被巻取物の送り方向の上流側には、前記被巻取物を送給するフィードユニットが配設され、
前記フィードユニットが、上下方向を軸にして回動可能に形成されていることを特徴とする請求項１、２、３又は４記載の巻取機。
【発明の詳細な説明】
【技術分野】
【０００１】
本発明は、帯状に連結された被巻取物を巻取リールに巻き取る巻取機に関するものである。
【背景技術】
【０００２】
従来、特許文献１に記載されている多連型巻取装置があった。これによれば、移動ユニットと移動ユニット駆動装置を備え、移動ユニットは複数のスイングユニットと支軸を有し、スイングユニットはアームの基部にボス部を備えると共にアームにリール受けを回転可能に備えていた。各スイングユニットのボス部がスラストベアリングを介在させて支軸に順次挿通され、かつ、支軸の両端に固定された固定部材により支軸方向における両側から挟み付けられて支軸と同軸にまた支軸と一体に構成されていた。
【０００３】
移動ユニット駆動装置は、移動ユニットの各スイングユニットを帯状体が供給される供給口に対して順次移動する構成を有していた。そして、前記各スイングユニットは、ボス部を中心にしてリール受けを稼働待機位置と引き出し位置との間で揺動可能であって、前記稼働待機位置から前記移動ユニット駆動装置により移動される稼働位置においてのみ、前記リール受けが駆動回転されて帯状体の巻取りが行われる構成とされていた。
【先行技術文献】
【特許文献】
【０００４】
【特許文献１】特開平７−２２３７６０号公報
【発明の概要】
【発明が解決しようとする課題】
【０００５】
しかし、特許文献１の多連型巻取装置では、巻取りリールに帯状体が巻取られると、複数のスイングユニットを有する移動ユニットを上下に移動させるため、移動ユニットが上側に移動したときに、作業者が作業しやすい位置より高くなることがあり、巻取りリールの取り換え作業性が悪くなるという問題があった。
【０００６】
本発明は上記事情に鑑み、巻取りリールの交換時の作業性を良くする巻取機を提供するものである。
【課題を解決するための手段】
【０００７】
請求項１記載の発明では、少なくとも最上段の巻取ユニットが、巻取ユニットが交換位置にある時、傾斜機構により斜め下方に傾斜可能としている。
【０００８】
これにより、被巻取物が巻取りリールに巻き取られ昇降ユニットが上側に移動したときに、傾斜機構により巻取ユニットを斜め下方に傾斜させて、作業者が作業しやすい位置まで下げることが可能となり、巻取りリールの交換時の作業性を良くすることができる。
【０００９】
また、移動機構を、昇降ユニット内に互いに平行となるように配設される一対の第一のスライドレールと、第一のスライドレールと摺動可能に形成され巻取ユニットの移動方向に沿った両側端部に互いに平行となるように配設された第二のスライドレールと、を有する構成とし、巻取位置を、巻取ユニットに配置される巻取リールが昇降ユニット内にある位置とし、交換位置を、巻取ユニットに配置される巻取リールが昇降ユニット外にある位置としてもよい。
【００１０】
これによれば、第一のスライドレール及び第二のスライドレールの簡単な構造で、巻取ユニットが移動方向に沿った両側端部で支えられるので、巻取りリールの傾斜を抑制することが可能となり、被巻取物の巻取り作業を安定させたうえで巻取りリールの交換時の作業性を良くすることができる。
【００１１】
また、巻取ユニットに層間紙ロールを保持して層間紙を繰り出し可能とする層間紙ロール保持部材を配設すれば、帯状の被巻取物を巻取りリールに巻き取るとともに、層間紙を繰り出して被巻取物の外側に巻き付けることが可能となり被巻取物相互の干渉を防止することができる。また、巻取ユニットの傾斜が可能となるので層間紙ロールの交換作業性も良くすることができる。
【００１２】
さらに、巻取ユニットに、巻取リールの外周縁部のフランジ部間の幅を規制するとともに層間紙をガイドするガイドローラを配設すれば、巻取リールの外周縁部のフランジ部分の変形を抑制して、送給されてくる被巻取物及び層間紙がフランジ部分に接触して変形することを防止することができる。
【００１３】
そして、巻取ユニットの被巻取物の送り方向の上流側に、被巻取物を送給するフィードユニットを配設して、フィードユニットを上下方向を軸にして回動可能に形成すれば、被巻取物を巻取りリールに向けて短い距離で送給することが可能となり、被巻取物の良好な巻取りを可能とすることができる。また、巻取りリールの、巻取りの回転（時計周り又は反時計周り）の切替えが容易となり、段取り時間を短縮することができる。
【図面の簡単な説明】
【００１４】
【図１】本発明における一実施形態の巻取機の正面図である。
【図２】本発明における一実施形態の巻取機の平面図である。
【図３】同巻取機のフィードユニットの平面図である。
【図４】同巻取機のフィードユニット、昇降ユニット、巻取ユニットの概略正面図である。
【図５】同巻取機の昇降装置、昇降ユニット、本体フレームの平面図である。
【図６】本体フレームの平面図である。
【図７】同巻取機の昇降装置、昇降ユニット、本体フレームの右側面図である。
【図８】同巻取機の昇降装置、昇降ユニット、本体フレームの正面図である。同巻取機のスライド機構、傾斜機構の正面図である。
【図９】昇降ユニットの平面図である。
【図１０】（ａ）内スライドレールのローラの説明図であり、（ｂ）外スライドレールのローラの説明図である。
【図１１】巻取ユニットを交換位置まで引き出した状態の右側面図である。
【図１２】巻取ユニットを傾斜させた状態の右側面図である。
【図１３】リンクバーにローラが入った状態のスライド機構、傾斜機構の拡大側面図である。
【図１４】傾斜機構の平面図である。
【図１５】巻取ユニットを傾斜させた状態の傾斜機構の拡大側面図である。
【図１６】（ａ）巻取ユニットを傾斜させない状態の傾斜機構の縦断面図であり、（ｂ）巻取ユニットを傾斜させた状態の傾斜機構の縦断面図である。
【図１７】大径の巻取りリール使用時のガイドローラユニットの平面図である。
【図１８】小径の巻取りリール使用時のガイドローラユニットの正面図である。
【図１９】巻取ユニットを交換位置に引っ張り出した状態の平面図である。
【図２０】巻取りリールの交換作業の（ａ）巻取りリールが巻取り完了した状態図、（ｂ）層間紙を取り付け後の説明図である。
【発明を実施するための形態】
【００１５】
本発明における巻取機の一実施形態を図面に基づいて説明する。以下の説明では、図１紙面における上下を上下方向、図１紙面における左右を左右方向、図１紙面における手前方向を前、紙面奥方向を後ろとする。
【００１６】
図１に示すように、巻取機１０は、台車２０上に、帯状の被巻取物Ｗを送給するフィードユニット３０と、本体フレーム４０と、本体フレーム４０内を上下方向に移動する昇降ユニット５０と、昇降ユニット５０に配設され、帯状の被巻取物Ｗを巻き取る巻取リールＷＲと層間紙ロールＰＲとが配置され上下方向に沿って複数段配設される巻取ユニット８０と、を備えている。
【００１７】
巻取機１０は、プレス機から送られてきた帯状の被巻取物Ｗを巻取リールＷＲに巻き取るとともに、層間紙Ｐと被巻取物Ｗとを交互に巻き付けるものである。
【００１８】
プレス機から送られてきた被巻取物Ｗは、巻取機１０より被巻取物Ｗの送り方向の上流側で、ガイドローラにより断面長手方向を水平方向に沿わせた状態から垂直方向に沿わせた状態にされ、フィードユニット３０に送られる。
【００１９】
フィードユニット３０は、図１、２、３、４に示すように、支持台３１と、ベース板３２と、ブラケット３３と、支持フレーム３４と、モータ３５と、フィードローラ群３６と、を有している。
【００２０】
台車２０上に支持台３１が装着されている。支持台３１上には、平板状のベース板３２が支持台３１に対して摺動可能に配置されている。支持台３１の被巻取物Ｗの送り方向の上流側には、正面視における断面がＬ字状のブラケット３３が延設されている。ベース板３２上には、支持フレーム３４が装着されている。支持フレーム３４には、モータ３５と、モータ３５により駆動するフィードローラ群３６と、が配設されている。被巻取物Ｗをガイドする被巻取物ガイド３７が、正面視において支持フレーム３４から昇降ユニット５０に向かって延設されている。
【００２１】
フィードユニット３０は、巻取ユニット８０の被巻取物Ｗの送り方向の上流側に配設され、被巻取物Ｗを巻取リールＷＲに向けて送給するように形成されている。フィードユニット３０は、上下方向に沿ってベース板３２とブラケット３３とを挿通する軸３８を軸心にして回動可能に形成されている。
【００２２】
本体フレーム４０は、図５〜８に示すように、台車２０上に配置され上下方向に沿って延びる四本の縦柱４１と、縦柱４１の上端を連結して平面視において矩形状に形成される四本の横柱４２と、前側と後ろ側の横柱４２を連結するように前後方向に沿って配される二本の連結部材４３と、を有して枠体状に形成されている。
縦柱４１は、平面視においてコの字状に形成され、左右方向において開放部分を互いに対向させて配置されている。
【００２３】
昇降ユニット５０は、図５〜９に示すように、下枠部材５１と、前縦連結板５２と、後縦連結板５３と、上枠部材５４とを有して直方体状の枠体に形成され、内部に外スライドレール５５（特許請求の範囲の第一のスライドレールに相当する）が前後方向に沿って配設されている。昇降ユニット５０は、巻取ユニット８０を収納可能なラック状に形成され、本体フレーム４０内を昇降装置６０によって上下方向に移動可能に形成されている。
【００２４】
下枠部材５１は、長尺板状の部材が用いられ、平面視において矩形枠状に配置されている。
【００２５】
前縦連結板５２は、上下方向に延びる長尺平板状に形成され、平面視において下枠部材５１で囲まれた矩形枠状部分の前側の角部分に配置されている。
【００２６】
後縦連結板５３は、上下方向に延びる長尺平板状に形成され、平面視において、下枠部材５１で囲まれた矩形枠状部分の後側の角部分に配置されている。
【００２７】
上枠部材５４は、前縦連結板５２どうしを連結する前上枠部材５６と、後縦連結板５３どうしを連結している後上枠部材５７と、前上枠部材５６と後上枠部材５７とを連結して前後方向に沿って配設される二本の連結部材５８とで構成されている。
【００２８】
外スライドレール５５は、正面視における断面がコの字状に形成され、前後方向に延びて上下方向に沿って四本配設され、前端部で取付部材を介して前縦連結板５２と連結され、後端部で後縦連結板５３と連結されている。
【００２９】
連結部材５８の平面視における中央後寄りの部分には、左右方向に延びる連結板５９が装着されている。
【００３０】
昇降装置６０は、図５〜９に示すように、スライダガイド６１と、スライドテーブル６２と、昇降用モータ６３と、を有している。
【００３１】
スライダガイド６１は、各縦柱４１の平面視における内側部分に上下方向に沿って配置されている。
【００３２】
スライドテーブル６２は、前縦連結板５２及び後縦連結板５３にそれぞれ取付部材を介して取り付けられ、スライダガイド６１の外側に上下方向に沿って摺動可能に配設されている。
【００３３】
昇降用モータ６３は、平面視において台車２０の本体フレーム４０で囲まれる部分の略中央部に上下方向に軸を沿わせて配設されている。
【００３４】
昇降用モータ６３の軸から延設されるねじ棒６４が、連結板５９に固着された昇降ナット６５を挿通して、連結部材４３から水平方向に延設された軸受部材６６に嵌められている。
【００３５】
昇降ナット６５には、昇降用モータ６３から延設されるねじ棒６４が螺合されている。昇降用モータ６３の駆動により、ねじ棒６４が回動することにより昇降ユニット５０がスライダガイド６１に沿って案内され上下方向に移動する。
【００３６】
昇降装置６０には、スプロケット６８と、チェーン６９と、バランスウエイト７０とを有したバランス調整機構６７が二系列設けられている。
【００３７】
各バランス調整機構６７において、上側のスプロケット６８は、各連結部材４３に取付部材を介して左右方向を回転軸として前後方向に沿って二つずつ取付られ、上側のスプロケット６８は、台車２０内に取付部材を介して左右方向を回転軸として前後方向に沿って二つずつ取付られ、連結部材４３に取り付けられたスプロケット６８と平面視における投影位置を同じとなるように、四つ配置されている。
【００３８】
チェーン６９は、上側において、一端で取付部材を介して連結部材５８に取り付けられ、側面視において、前側のスプロケット６８、後側のスプロケット６８、バランスウエイト７０の上端部の順に配され、他端で取付部材を介してバランスウエイト７０の上端部に取り付けられている。
【００３９】
チェーン６９は、下側において、一端で連結バー８２に取付部材を介して取り付けられ、側面視において、台車２０内の前側のスプロケット６８、後側のスプロケット６８、バランスウエイト７０の下端部の順に配され、他端で取付部材を介してバランスウエイト７０の下端部に取り付けられている。
【００４０】
巻取ユニット８０は、図４、５、９に示すように、一対の内スライドレール８１（特許請求の範囲の第二のスライドレールに相当する）と、連結バー８２と、を有している。
【００４１】
内スライドレール８１は、正面視における断面がコの字状に形成され、前後方向に延びて互いに平行となるように配置されている。連結バー８２は、上側が開放した断面コの字状で、内スライドレール８１に対して直交して配置され、内スライドレール８１を連結している。
【００４２】
連結バー８２には、巻取リールＷＲを駆動する巻取り用モータ８３が配設されている。巻取り用モータ８３の軸には、巻取リールＷＲを装着可能とする円盤状の保持板８４が嵌め込まれている。
【００４３】
連結バー８２には、取付部材を介して層間紙ロール保持部材８５が取り付けられている。
【００４４】
層間紙ロール保持部材８５は、上下方向に沿って延びる軸部８６と、軸部８６を回動に支持する軸受部材８７と、軸部８６に嵌め込まれた層間紙ロールＰＲを保持する円盤状の保持板８８と、を有している。
【００４５】
本発明の要部を以下に説明する。
【００４６】
スライド機構９０は、図１０（ａ）、（ｂ）、図１１に示すように、昇降ユニット５０の内側面に配設される一対の外スライドレール５５と、巻取ユニット８０の水平方向の両端部に移動方向に沿って配設され、外スライドレール５５内を摺動可能に形成された内スライドレール８１と、で構成されている。
【００４７】
外スライドレール５５の前端部で補強フレーム９３が外スライドレール５５の外側に嵌められ、前側に延設されている。
【００４８】
補強フレーム９３の前端部には、上下方向に沿って配置された一対のローラ９１が装着され、ローラ９１は、左右方向に沿って挿通する軸によって軸支され、内スライドレール８１の内側の上下の面と摺接可能に形成されている。
【００４９】
内スライドレール８１の後端部には、上下方向に沿って配置された一対のローラ９２が装着され、ローラ９２は、左右方向に沿って挿通する軸によって内スライドレール８１の上下の面から突出して軸支され、外スライドレール５５の内側の上下の面と摺接可能に形成されている。
【００５０】
傾斜機構１００は、図１３〜１５に示すように、内スライドレール８１と補強フレーム９３とを連結するリンクバー１０１と、内スライドレール８１の後ろ側に配設される下側のローラ９２と、補強フレーム９３の前側に配設され、上下方向に沿って配置され、巻取ユニット８０の傾斜時の支点となるローラ９１と、ストッパー１０２と、で構成されている。
【００５１】
リンクバー１０１は、正面視における断面がコの字状に形成され、側面視において前端部が半円形状でローラ９２の移動を規制するように閉塞して、後端部が下側のローラ９２を進入可能に開放して形成されている。
【００５２】
リンクバー１０１は、後端部で、外スライドレール５５の前側所定の位置に、左右方向に沿って延びる軸１０３により開放部分をローラ９２に向けて軸支されている。
【００５３】
補強フレーム９３の外側には、巻取ユニット８０を傾斜させない状態時の側面視において、リンクバー１０１と同軸で軸支され、リンクバー１０１に対して前側の斜め上方に延び、リンクバー１０１と一体連動して回動する補助バー１０４が配設されている。
【００５４】
各補強フレーム９３の外側の補助バー１０４より前側には、巻取ユニット８０を傾斜させたい時以外に傾斜することを抑制するストッパー１０２が配設されている。
【００５５】
ストッパー１０２は、補強フレーム９３に固着された支持部材１０５を挿通して、後側の端部で補助バー１０４の自由端側に回動可能に連結され、前側の端部に装着された止め部材１０６と支持部材１０５との間にばね等の弾性部材１０７が配設されている。弾性部材１０７により、ストッパー１０２が前側に付勢され、連結された補助バー１０４が後側に回動するのを抑制している。
【００５６】
補強フレーム９３の後側は、外スライドレール５５と嵌合可能な断面コ字状に形成され、外スライドレール５５との嵌合部分より前の上側は、内スライドレール８１、リンクバー１０１と干渉しないように切り欠かれている。前端下側は、内スライドレール８１の下面と干渉しないように切り欠かれている。
【００５７】
巻取ユニット８０には、図１２、図１７、１８に示すように、層間紙Ｐをガイドするガイドローラ１１７を有する、ガイドローラユニット１１０が配設されている。
【００５８】
ガイドローラユニット１１０は、ベース板１１１と、スライダガイド１１２と、スライドテーブル１１３とスライドテーブル１１３上に装着された支持板１１４と、を有している。１、３段目の巻取ユニット８０と２、４段目のガイドローラユニット１１０は、連結バー８２に対して線対称に形成されている。
【００５９】
ベース板１１１は、略中央部に切り抜き部分を有した矩形平板状に形成されている。平面視において、連結バー８２と右側の内スライドレール８１とに対向する端部が下側に突出して、それぞれ連結バー８２と及び右側の内スライドレール８１と、に連結されている。
【００６０】
ベース板１１１の上面には、左右方向に延びるスライダガイド１１２が装着され、スライダガイド１１２上をスライドするスライドテーブル１１３が配設され、スライドテーブル１１３上に支持板１１４が装着されている。
【００６１】
ベース板１１１には、側面視においてＬ字状に形成された位置決めブラケット１１５が装着されている。
【００６２】
位置決めブラケット１１５は、位置決めピン１１６が上下方向に沿って挿通可能に形成され、位置決めブラケット１１５及び支持板１１４に左右方向に沿って設けられた複数の穴に位置決めピン１１６を挿通させて支持板１１４の位置決めがなされる。
【００６３】
支持板１１４の右側には、前後方向に沿って二か所の孔が設けられ、ガイドローラ１１７がいずれか一つの孔に回動可能に取り付けられ、巻取リールＷＲの半径によって取り付け位置を変えられるように形成されている。
【００６４】
巻取リールＷＲは、段ボール紙又は樹脂及び金属等で形成され、円筒状の筒部ＷＲ１と、筒部ＷＲ１の両端部から径方向外側に突出する円盤状のフランジ部ＷＲ２と、を有して形成されている。
【００６５】
ガイドローラ１１７は、外周面に円周方向に沿って、巻取リールＷＲの外周縁部のフランジ部ＷＲ２間の幅を持たせて二か所溝が形成されている。
【００６６】
ガイドローラ１１７に形成された二か所の溝に巻取リールＷＲの外周縁部のフランジ部ＷＲ２がそれぞれ挿入され、巻取リールＷＲのフランジ部ＷＲ２間の幅を規制する。
【００６７】
巻取リールＷＲの交換の仕方を以下に説明する。被巻取物Ｗの巻取りが完了したら被巻取物Ｗを切断し、切断した端部を既に巻取られた被巻取物Ｗに巻き付けた後、昇降用モータ６３を駆動させると、ねじ棒６４が回動することにより昇降ユニット５０がスライダガイド６１に沿って案内され昇降ユニット５０が上昇又は下降する。この際、二系列あるバランス調整機構６７のバランスウエイト７０により、昇降ユニット５０の上昇又は下降時の急激な動作によるガタつきを防止する。待機していた巻取リールＷＲへの被巻取物Ｗの巻取りが始まってから、図１９に示すように、作業者が、被巻取物Ｗの巻取りが完了した巻取リールＷＲのある巻取ユニット８０を前側に引っ張ると、内スライドレール８１が外スライドレール５５内を摺動して、昇降ユニット５０外の交換位置まで前後方向に沿って移動する。
【００６８】
巻取りが完了した巻取リールＷＲを、被巻取物Ｗの外側に層間紙Ｐを巻き付ける為、巻取り用モータ８３により被巻取物Ｗの巻取り方向と同じ方向に回転させ、図２０（ａ）に示すように、被巻取物Ｗの終端を層間紙Ｐが外側から覆う「余巻き」作業が終わったら、層間紙Ｐを切断する。切断された層間紙Ｐの自由端を既に巻かれた層間紙Ｐの外周面にテープ等で貼着すると、被巻取物Ｗの巻取りがなされた完成品としての巻取リールＷＲを巻取ユニット８０から取り外す。
【００６９】
被巻取物Ｗの巻取りがなされていない空の巻取リールＷＲを巻取ユニット８０にセットする。図２０（ｂ）に示すように、ガイドローラ１１７に形成された二か所の溝に巻取リールＷＲの外周縁部のフランジ部ＷＲ２をそれぞれ挿入して、巻取リールＷＲのフランジ部ＷＲ２間の幅を規制しつつ、先に切断された層間紙Ｐをガイドローラ１１７でガイドさせて、巻取リールＷＲの筒部ＷＲ１の外周面にテープ等で貼着する「層間紙貼り付け」作業をした後、巻取り用モータ８３により巻取リールＷＲの筒部ＷＲ１に層間紙Ｐを巻き付けてセットが完了する。作業者が、セットが完了した巻取リールＷＲのある巻取ユニット８０を後ろ側に押し込むと、内スライドレール８１が外スライドレール５５内を摺動して、昇降ユニット５０内の巻取位置まで前後方向に沿って移動する。巻取ユニット８０を昇降ユニット５０内の巻取位置に戻すことで巻取リールＷＲの交換が完了する。
【００７０】
巻取リールＷＲの筒部ＷＲ１と層間紙Ｐの間に被巻取物Ｗが送給され、被巻取物Ｗの外側に層間紙Ｐが巻かれていく。
【００７１】
傾斜機構１００の機能作用を説明する。傾斜機構１００が配設される巻取ユニット８０を昇降ユニット５０外の交換位置まで引き出す際、最上段のスライド機構９０に配設されるリンクバー１０１内に下側のローラ９２が入り込み、図１１、１３に示すように、閉塞された前側の壁に当りストップする。この際ストッパー１０２が弾性部材１０７により補助バー１０４を前側に付勢しているので、巻取ユニット８０は、傾斜しない。
【００７２】
作業者が、付勢力を上回る力で巻取ユニット８０を下側に押し下げると、前側の二つのローラ９１を支点として、巻取ユニット８０の二つのローラ９１より前側が下側に回動し、巻取ユニット８０の内スライドレール８１の二つのローラ９１より後側が上側に回動する。
【００７３】
すると、リンクバー１０１が後側に回動し、図１２、１５に示すように、内スライドレール８１を斜め後方に引き上げ、所定の位置までくると内スライドレール８１の回動をストップさせる。昇降ユニット５０の外スライドレール５５に対して、巻取ユニット８０は、傾斜して止まった状態となる。作業者は、巻取ユニット８０を、内スライドレール８１の前端部と前側の縦柱４１の下端部とを図示しないチェーン等で連結固定して、上述した巻取リールＷＲの交換作業を行なう。
【００７４】
巻取リールＷＲの交換作業が終わったら、作業者は、上記チェーン等の連結固定を解除し、巻取ユニット８０を手で水平状態に戻す。この際、リンクバー１０１が前側に回動する。そして、巻取ユニット８０を後ろ側に押し込む。すると、水平状態に戻ったリンクバー１０１内から下側のローラ９２が外スライドレール５５に戻り、巻取ユニット８０は、図５等に示すように、昇降ユニット５０内の巻取位置に戻ることになる。
【００７５】
以上の構成の巻取機１０では、最上段の巻取ユニット８０が、巻取ユニット８０が交換位置にある時、傾斜機構１００により外スライドレール５５に対して斜め下方に傾斜可能としている。
【００７６】
これにより、被巻取物Ｗが巻取リールＷＲに巻き取られ昇降ユニット５０が上側に移動したときに、傾斜機構１００により巻取ユニット８０を外スライドレール５５に対して斜め下方に傾斜させて、作業者が作業しやすい位置まで下げることが可能となり、巻取リールＷＲの交換時の作業性を良くすることができる。
【００７７】
また、移動機構としてのスライド機構９０を、昇降ユニット５０内に互いに平行となるように配設される一対の外スライドレール５５と、外スライドレール５５と摺動可能に形成され巻取ユニット８０の移動方向に沿った両側端部に互いに平行となるように配設された内スライドレール８１と、を有する構成とし、巻取位置を、巻取ユニット８０に配置される巻取リールＷＲが昇降ユニット５０内にある位置とし、交換位置を、巻取ユニット８０に配置される巻取リールＷＲが昇降ユニット外５０にある位置としてもよい。
【００７８】
これによれば、外スライドレール５５及び内スライドレール８１の簡単な構造で、巻取ユニット８０が移動方向に沿った両側端部で支えられるので、巻取リールＷＲの傾斜を抑制することが可能となり、被巻取物Ｗの巻取り作業を安定させたうえで巻取リールＷＲの交換時の作業性を良くすることができる。
【００７９】
また、巻取ユニット８０に層間紙ロールＰＲを保持して層間紙Ｐを繰り出し可能とする層間紙ロール保持部材８５を配設すれば、帯状の被巻取物Ｗを巻取リールＷＲに巻き取るとともに、層間紙Ｐを繰り出して被巻取物Ｗの外側に巻き付けることが可能となり被巻取物Ｗ相互の干渉を防止することができる。また、巻取ユニット８０の傾斜が可能となるので層間紙ロールＰＲの交換作業性も良くすることができる。
【００８０】
ここで、従来の層間紙ロールＰＲを備えた巻取り機においては、巻取リールＷＲの交換作業に加え、層間紙Ｐを被巻取物Ｗの外側に巻き付ける「余巻き」作業と、被巻取物Ｗの巻取りがなされていない空の巻取リールＷＲの筒部ＷＲ１に層間紙Ｐを貼り付ける「層間紙貼り付け」作業があり、これらの作業性が悪くなる問題があった。
【００８１】
これらに対し、層間紙ロール保持部材８５を配設したうえで、巻取ユニット８０を外スライドレール５５に対して斜め下方に傾斜させて、作業者が作業しやすい位置まで下げることを可能とすることで、「余巻き」及び「層間紙貼り付け」の作業性を良くすることができる。
【００８２】
さらに、巻取ユニット８０に、巻取リールＷＲの外周縁部のフランジ部ＷＲ２間の幅を規制するとともに層間紙Ｐをガイドするガイドローラ１１７を配設すれば、巻取リールＷＲの外周縁部のフランジ部ＷＲ２の変形を抑制して、送給されてくる被巻取物Ｗ及び層間紙Ｐがフランジ部ＷＲ２に接触して変形することを防止することができる。
【００８３】
そして、巻取ユニット８０の被巻取物Ｗの送り方向の上流側に、被巻取物Ｗを送給するフィードユニット３０を配設して、フィードユニット３０を上下方向を軸にして回動可能に形成すれば、被巻取物Ｗを巻取リールＷＲに向けて短い距離で送給することが可能となり、被巻取物Ｗの良好な巻取りを可能とすることができる。また、巻取リールＷＲの、巻取りの回転（時計周り又は反時計周り）の切替えが容易となり、段取り時間を短縮することができる。
【００８４】
本発明の巻取機１０は、当該構成に限定されるものではない。即ち、本発明の要旨を逸脱しない限り各種の設計変更等が可能である。例えば、特許文献１に記載されたようなスイング式の巻取装置に、巻取リールＷＲを枠体で支持して本発明のスライド機構、傾斜機構を適用して、巻取リールＷＲ部分を傾斜させることも可能である。
【００８５】
また、最上段の巻取ユニット８０に傾斜機構１００を設けているが、使用状態に応じて他の段の巻取ユニット８０に傾斜機構１００を設けることもできる。
【００８６】
また、外スライドレール５５を巻取ユニット８０に、内スライドレール８１を昇降ユニット５０に配置することも可能である。
【００８７】
また、巻取リールＷＲを駆動する巻取り用モータ８３を配設しない構成とすることもできる。この場合、「余巻き」作業及び「層間紙貼り付け」作業に伴う、巻取リールＷＲの回転は手作業で行うことになる。
【符号の説明】
【００８８】
１０  巻取機
３０  フィードユニット
５０  昇降ユニット
５５  外スライドレール
８０  巻取ユニット
８１  内スライドレール
８５  層間紙ロール保持部材
９０  スライド機構
１００  傾斜機構
１１７  ガイドローラ
ＰＲ  層間紙ロール
Ｗ  被巻取物
ＷＲ  巻取リール
ＷＲ２  フランジ部
【図１】
2013203541.tif 000003
【図２】
2013203541.tif 000004
【図３】
2013203541.tif 000005
【図４】
2013203541.tif 000006
【図５】
2013203541.tif 000007
【図６】
2013203541.tif 000008
【図７】
2013203541.tif 000009
【図８】
2013203541.tif 000010
【図９】
2013203541.tif 000011
【図１０】
2013203541.tif 000012
【図１１】
2013203541.tif 000013
【図１２】
2013203541.tif 000014
【図１３】
2013203541.tif 000015
【図１４】
2013203541.tif 000016
【図１５】
2013203541.tif 000017
【図１６】
2013203541.tif 000018
【図１７】
2013203541.tif 000019
【図１８】
2013203541.tif 000020
【図１９】
2013203541.tif 000021
【図２０】
2013203541.tif 000022